(57)【要約】【課題】光沢度を調整する複数の調整条件の中から有効な調整条件を決定することを目的とする。【解決手段】電子写真方式で記録媒体上に形成された画像を読み取って表面の正反射光強度分布情報を取得する画像読取部１４と、取得した正反射光強度分布情報から画像の表面形状を抽出し、表面形状に応じて各々予め定めた光沢度調整のための複数の調整条件の中から画像の表面形状に対応する調整条件を決定する光沢度調整条件決定部３２と、を備える。【選択図】図４
2017016036.tif 000002
【特許請求の範囲】
【請求項１】
電子写真方式で記録媒体上に形成された画像の表面の正反射光強度分布情報を取得する取得部と、
前記取得部によって取得した前記正反射光強度分布情報から前記画像の表面形状に対応する光沢度の調整条件を決定する決定部と、
を備えた画像表面光沢度調整装置。
【請求項２】
前記決定部は、前記正反射光強度分布情報を２値の画像情報に変換して、トナー粒子の重なり具合による窪み画像と、トナー粒子間の凹みによる粒界凹み画像との割合から前記調整条件を決定する請求項１に記載の画像表面光沢度調整装置。
【請求項３】
前記決定部は、空間周波数の予め定めた閾値を用いて前記画像情報から前記窪み画像と前記粒界凹み画像とを分離する請求項２に記載の画像表面光沢度調整装置。
【請求項４】
前記決定部は、前記正反射光強度分布情報を２値化して得られる強度が低い側の部分の大きさの予め定めた閾値を用いて前記画像情報から前記窪み画像と前記粒界凹み画像とを分離する請求項２に記載の画像表面光沢度調整装置。
【請求項５】
前記決定部は、前記窪み画像と前記粒界凹み画像の面積比に応じて予め定めた前記調整条件を決定する請求項３に記載の画像表面光沢度調整装置。
【請求項６】
前記決定部は、前記粒界凹み画像より前記窪み画像の方を多く抽出した場合に、電子写真方式の複数の画像形成工程のうち定着以前の画像形成に関する画像形成条件を前記調整条件として決定し、前記窪み画像より前記粒界凹み画像の方を多く抽出した場合に、定着に関する定着条件を前記調整条件として決定する請求項５に記載の画像表面光沢度調整装置。
【請求項７】
前記正反射光強度分布情報は、前記窪み画像と前記粒界凹み画像との面積率の和と６０度鏡面光沢度との相関係数が最大または平均二乗誤差が最小となるように設定された閾値によって２値化される請求項２〜６の何れか１項に記載の画像表面光沢度調整装置。
【請求項８】
電子写真方式で記録媒体上に形成された画像の表面の正反射光強度分布情報を取得する取得ステップと、
前記取得ステップで取得した前記正反射光強度分布情報から前記画像の表面形状に対応する光沢度の調整条件を決定する決定ステップと、
を含む処理をコンピュータに実行させるための画像表面光沢度調整プログラム。
【請求項９】
電子写真方式で記録媒体上に画像を形成する画像形成部と、
前記画像形成部によって記録媒体上に形成された画像の表面の正反射光強度分布情報を取得する取得部と、
前記取得部によって取得した前記正反射光強度分布情報から前記画像の表面形状に対応する光沢度の調整条件を決定する決定部と、
前記決定部によって決定した前記調整条件を用いて前記画像の光沢度を調整する調整部と、
を備えた画像形成装置。
【発明の詳細な説明】
【技術分野】
【０００１】
本発明は、画像表面光沢度調整装置、画像表面光沢度調整プログラム、及び画像形成装置に関する。
【背景技術】
【０００２】
特許文献１では、トナー画像が定着された記録媒体の光沢度を４段階以上に設定できる光沢度設定部の設定に基づいて、画像形成に関わる各手段のパラメータ（調整条件）を求めて各手段を駆動制御することで、画像の光沢度を調整することが記載されている。
【先行技術文献】
【特許文献】
【０００３】
【特許文献１】特開２００２−１０８１６７号公報
【発明の概要】
【発明が解決しようとする課題】
【０００４】
定着されたトナー画像の表面形状によっては光沢度の調整に有効な調整条件とそうでない調整条件があることが分かった。本発明は、光沢度を調整する複数の調整条件の中から有効な調整条件を決定することを目的とする。
【課題を解決するための手段】
【０００５】
請求項１に記載の画像表面光沢度調整装置は、電子写真方式で記録媒体上に形成された画像の表面の正反射光強度分布情報を取得する取得部と、前記取得部によって取得した前記正反射光強度分布情報から前記画像の表面形状に対応する光沢度の調整条件を決定する決定部と、を備えている。
【０００６】
請求項２に記載の発明は、請求項１に記載の発明において、前記決定部は、前記正反射光強度分布情報を２値の画像情報に変換して、トナー粒子の重なり具合による窪み画像と、トナー粒子間の凹みによる粒界凹み画像との割合から前記調整条件を決定する。
【０００７】
請求項３に記載の発明は、請求項２に記載の発明において、前記決定部は、空間周波数の予め定めた閾値を用いて前記画像情報から前記窪み画像と前記粒界凹み画像とを分離する。
【０００８】
請求項４に記載の発明は、請求項２に記載の発明において、前記決定部は、前記正反射光強度分布情報を２値化して得られる強度が低い側の部分の大きさの予め定めた閾値を用いて前記画像情報から前記窪み画像と前記粒界凹み画像とを分離する。
【０００９】
請求項５に記載の発明は、請求項３に記載の発明において、前記決定部は、前記窪み画像と前記粒界凹み画像の面積比に応じて予め定めた前記調整条件を決定する。
【００１０】
請求項６に記載の発明は、請求項５に記載の発明において、前記決定部は、前記粒界凹み画像より前記窪み画像の方を多く抽出した場合に、電子写真方式の複数の画像形成工程のうち定着以前の画像形成に関する画像形成条件を前記調整条件として決定し、前記窪み画像より前記粒界凹み画像の方を多く抽出した場合に、定着に関する定着条件を前記調整条件として決定する。
【００１１】
請求項７に記載の発明は、請求項２〜６の何れか１項に記載の発明において、前記正反射光強度分布情報は、前記窪み画像と前記粒界凹み画像との面積率の和と６０度鏡面光沢度との相関係数が最大または平均二乗誤差が最小となるように設定された閾値によって２値化される。
【００１２】
請求項８に記載の画像表面光沢度調整プログラムは、電子写真方式で記録媒体上に形成された画像の表面の正反射光強度分布情報を取得する取得ステップと、前記取得ステップで取得した前記正反射光強度分布情報から前記画像の表面形状に対応する光沢度の調整条件を決定する決定ステップと、を含む処理をコンピュータに実行させる。
【００１３】
請求項９に記載の画像形成装置は、電子写真方式で記録媒体上に画像を形成する画像形成部と、前記画像形成部によって記録媒体上に形成された画像の表面の正反射光強度分布情報を取得する取得部と、前記取得部によって取得した前記正反射光強度分布情報から前記画像の表面形状に対応する光沢度の調整条件を決定する決定部と、前記決定部によって決定した前記調整条件を用いて前記画像の光沢度を調整する調整部と、を備を備えている。  
【発明の効果】
【００１４】
請求項１に記載の発明によれば、光沢度を調整する複数の調整条件の中から有効な調整条件を決定可能な画像表面光沢度調整装置を提供することができる。
【００１５】
請求項２に記載の発明によれば、トナー粒子の重なり具合による窪み画像と、トナー粒子間の凹みによる粒界凹み画像との割合から、有効な調整条件を決定することができる。
【００１６】
請求項３に記載の発明によれば、窪み画像と粒界凹み画像とが混じり合っていてもそれぞれを分離して抽出することができる。
【００１７】
請求項４に記載の発明によれば、有効な調整条件を決定するために必要な表面形状を窪み画像と粒界凹み画像とに分離して抽出することができる。
【００１８】
請求項５に記載の発明によれば、画像の表面形状に応じて有効な調整条件を決定することができる。
【００１９】
請求項６に記載の発明によれば、粒界凹み画像より窪み画像の方が多い場合に、電子写真方式の複数の画像形成工程のうち定着以前の画像形成に関する画像形成条件を調整条件とし、窪み画像より粒界凹み画像の方が少ない場合に、定着に関する画像形成条件を調整条件とする場合よりも有効な光沢度調整が可能となる。
【００２０】
請求項７に記載の発明によれば、他の閾値を用いて２値の画像情報に変換する場合に比べて有効な光沢度調整のための調整条件を決定することができる。
【００２１】
請求項８に記載の発明によれば、光沢度を調整する複数の調整条件の中から有効な調整条件を決定可能な画像表面光沢度調整プログラムを提供することができる。
【００２２】
請求項９に記載の発明によれば、光沢度を調整する複数の調整条件の中から有効な調整条件を用いて光沢度を調整することが可能な画像形成装置を提供することができる。
【図面の簡単な説明】
【００２３】
【図１】本実施形態に係る画像形成装置の概略構成を示す図である。
【図２】（Ａ）は画像表面形状の粒界凹みを説明するための図であり、（Ｂ）はトナーと用紙表面が混在した画像表面形状の窪みを説明するための図であり、（Ｃ）はトナー溶融不足によって発生する窪みを説明するための図である。
【図３】粒界凹みと窪みの面積率の和と、グロス管理指標との相関を表すグラフである。
【図４】本実施形態に係る画像形成装置に含まれる画像表面光沢度調整装置の機能を示す機能ブロック図である。
【図５】（Ａ）は２値化された画像の一例を示す図であり、（Ｂ）はマスク画像の一例を示す図であり、（Ｃ）はマスク後画像の一例を示す図であり、（Ｄ）は窪み画像の一例を示す図であり、（Ｅ）は粒界凹み画像の一例を示す図である。
【図６】面積比に応じて光沢度を調整する調整条件を切り換えるＬＵＴの一例を示す図である。
【図７】本実施形態に係る画像形成装置の光沢度調整の際に行われる処理の流れの一例を示すフローチャートである。
【発明を実施するための形態】
【００２４】
以下、本実施の形態について図面を参照しつつ説明する。本実施形態では、画像表面光沢度調整装置の機能を備えた画像形成装置を一例として説明する。図１は、本実施形態に係る画像形成装置の概略構成を示す図である。
【００２５】
本実施形態に係る画像形成装置１０は、電子写真方式で画像を記録媒体としての用紙に形成する。具体的には、図１に示すように、画像形成装置１０は、無端ベルトからなる中間転写ベルト４０が、複数のロール４２により、予め定められた張力を持って支持されている。また、中間転写ベルト４０上には、そのベルト走行方向Ｘに沿って、シアン（Ｃ）、マゼンタ（Ｍ）、イエロー（Ｙ）、ブラック（Ｋ）の各色に対応した画像記録ユニット４４Ｃ、４４Ｍ、４４Ｙ、４４Ｋが順に配設されている。なお、以下の説明では、特に区別しない限り、各画像記録ユニットは同一構成であるので、各色に対応する符号を省略して説明する。
【００２６】
各々の画像記録ユニット４４は、それぞれ図示しない装置本体フレームに回転可能に軸が固定された感光体ドラム４６を有する。各感光体ドラム４６の周囲には、そのドラム回転方向（図１の時計回り方向）に沿って、クリーナ４８、イレーズランプ（図示省略）、帯電器５０、レーザ走査装置１２、現像器５２、及び１次転写ロール５４が順に配置されている。
【００２７】
すなわち、感光体ドラム４６に残留するトナーがクリーナ４８によって除去された後に、除電用のイレーズランプで感光体上の電荷が除電され、帯電器５０によって帯電され、レーザ走査装置１２によって感光体ドラム４６の表面に光が照射されて潜像が形成される。そして、レーザ走査装置１２によって形成された潜像は、現像器５２によってトナー像が形成され、１次転写ロール５４によって中間転写ベルト４０に転写されるようになっている。なお、各感光体ドラム４６によって副走査が行われ、レーザ走査装置１２によって主走査が行われる。
【００２８】
一方、画像記録対象となる記録媒体としての用紙は図示しない給紙部に収容され、その給紙部の用紙繰出側に設けられたピックアップロール５６により一枚ずつ繰り出される。繰出された用紙は、予め定められた数のロール対５８により図中破線で示す経路を辿って搬送され、２次転写ロール６０の圧接位置へと送られ、２次転写ロール６０で中間転写ベルト４０上のカラー画像が用紙に一括転写（２次転写）される。カラー画像が転写された用紙は、用紙搬送系６２によって定着器６４に搬送され、そこで画像の定着処理（加熱、加圧等）がなされた後、図示しない排出部に排出されようになっている。
【００２９】
ところで、上述のように構成された画像形成装置１０では、例えば、トナー像を定着させる定着器６４の定着条件（例えば、温度や圧力等の定着条件）を変更することにより、用紙に形成された画像の光沢度を調整可能であることが知られている。
【００３０】
また、光沢度の調整は、この他の画像形成に関する各種画像形成条件によって調整可能であり、調整の際に有効となる調整条件が用紙に形成された画像の表面形状によって異なることが分かった。
【００３１】
そこで、本実施形態に係る画像形成装置１０では、画像の表面形状を検出するために、定着器６４の用紙搬送方向下流側に画像読取部１４が設けられている。画像読取部１４は、定着器６４によって画像の定着処理が行われた用紙を読み取ることにより、正反射光強度分布情報を取得して、画像の表面形状を検出する。画像読取部１４は、予め定めた面積を読取範囲として、用紙の予め定めた複数箇所の部位の正反射光強度分布情報を取得する。本実施形態では、画像読取部１４によって読み取ることによって取得した正反射光強度分布情報から画像の表面形状を抽出し、画像の表面形状に基づいて光沢度を調整するための調整条件を決定する処理を行うようになっている。
【００３２】
本実施形態では、画像読取部１４は、光学顕微鏡やレーザ顕微鏡などの反射光強度計測のように正反射光強度分布情報を取得可能なものを適用する。解像度としては、画像の表面形状としてトナー粒子間の境界部の凹みを検出するために、１μｍ／ｐｉｘｅｌ以下が良い。また、正反射光強度分布情報の面積は、正反射光強度の変動周期より大きい面積がよく、例えば、２ｍｍ×２ｍｍ以上が良い。
【００３３】
また、画像を分析したところ画像の表面形状には２種類の凹凸があることが分かった。そのため、本実施形態では、画像のトナー粒子の状態によって２つの表面形状に分類して、各々の表面形状を抽出する。
【００３４】
２種類の表面形状としては、具体的には、本実施形態では、図２（Ａ）に示すように、トナー粒子間の境界部の凹みによる表面形状であり、ここではこれを粒界凹みという。粒界凹みは、トナー粒子１つ１つの溶融変形現象に影響される構造である。
【００３５】
もう一方は、トナー粒子の重なり具合による表面形状であり、ここではこれを窪みという。例えば、図２（Ｂ）に示すように、トナーと用紙表面が混在した画像の窪みや、図２（Ｃ）に示すように、トナーの溶融不足等によって発生する画像の窪みがある。窪みは、複数の画像形成工程（帯電、露光、現像、転写、定着等）のうち定着以前の画像形成工程によって生じるトナー層の表面凹凸の影響を受ける構造である。
【００３６】
また、粒界凹みと窪みとは、粒界凹みと窪みの面積率（全面に対する黒点の割合）の和と、グロス管理指標（例えば、６０度鏡面光沢度）とに相関がある。図３に示すように、粒界凹みと窪みの面積率の和によって光沢度が決まることが分かる。換言すれば、粒界凹みや窪みなどの画像の表面形状に応じて、光沢度調整に有効な調整条件が左右されることになるので、画像の表面形状に応じて光沢度調整の調整条件を決定する。
【００３７】
次に、光沢度調整の調整条件を決定する画像表面光沢度調整装置の具体的な構成例について説明する。図４は、本実施形態に係る画像形成装置１０に含まれる画像表面光沢度調整装置の機能を示す機能ブロック図である。なお、図４は、例えば、ソフトウエアプログラムによって実行される機能としてもよいし、ハードウエアによって実行される機能としてもよいし、双方を組み合わせて実行される機能としてもよい。
【００３８】
図４に示すように、画像形成装置１０は、２値化処理部２２、ＬＰＦ(Low Pass Filter)処理部２４、マスク処理部２６、窪み抽出部２８、粒界凹み抽出部３０、及び光沢度調整条件決定部３２を含む画像表面光沢度調整装置２０を機能として備えている。
【００３９】
２値化処理部２２は、画像読取部１４によって画像を読み取ることによって取得した正反射光強度分布情報を、図５（Ａ）に示すような２値の画像情報に変換する２値化処理を行う。２値化処理は、本実施形態では、予め定めた固定閾値を用いて画像情報を２値化する。閾値としては、例えば、粒界凹みと窪みの面積率と、６０度鏡面光沢度との相関関係（例えば、図３の相関係数）が最大、或いはＲＭＳ誤差（平均二乗誤差）が最小となる値を閾値として設定する。２値化処理部２２によって２値化された画像情報は、ＬＰＦ処理部２４、マスク処理部２６、及び粒界凹み抽出部３０の各々に出力する。
【００４０】
ＬＰＦ処理部２４は、予め定めたカットオフ周波数以下の空間周波数の画像情報をノイズとして除去する処理を行う。ＬＰＦ処理部２４は、例えば、ガウシアンフィルタ等のフィルタを用いて予め定めた空間周波数以下の画像を除去することにより、画像情報から窪みを抽出するための図５（Ｂ）に示すようなマスク画像を生成する。フィルタのカットオフ周波数は、トナー径が変化すれば、それに応じて適切なカットオフ周波数を設定する。例えば、５．８μｍ径のトナーの場合、３．８μｍ径のトナーと比べて径が５．８／３．８＝１．５倍となるため、粒界凹みの分布のピッチも１．５倍程度と考えられる。そこで、３．８μｍ径のトナーの場合には、５．８μ径のトナーで設定したカットオフ周波数の１．５倍のカットオフ周波数のＬＰＦを用いる。カットオフ周波数の設定は、例えば、カットオフ波長を１μｍ刻みに変化させ、粒界凹みと窪みの分離を最も適切にできるカットオフ波長を目視確認等によって選択することにより決定する。なお、図５（Ｂ）は、カットオフ波長を１０μｍとした例を示す。
【００４１】
マスク処理部２６は、２値化処理部２２から得られる２値化された画像情報と、ＬＰＦ処理部２４によって生成されたマスク画像と、を用いてマスク処理を行う。マスク処理は、２値化された画像情報からマスク画像に対応する画像を切り出して、図５（Ｃ）に示すようなマスク後画像を抽出して窪み抽出部２８に出力する。
【００４２】
窪み抽出部２８は、マスク処理部２６によって抽出したマスク後画像から、粒界凹みに対応する部分を除去して窪みに相当する部分の画像を抽出する。すなわち、マスク後画像から粒界凹みに相当する面積の領域（予め定めた面積以下の黒点の領域）を除去することにより、図５（Ｄ）に示すような窪みに相当する部分の画像（窪み画像）を抽出して粒界凹み抽出部３０、及び光沢度調整条件決定部３２に出力する。
【００４３】
粒界凹み抽出部３０は、２値化処理部２２から得られる２値化された画像情報と、窪み抽出部２８によって抽出された窪み画像と、を用いて粒界凹みに対応する部分の画像（粒界凹み画像）を抽出する。すなわち、２値化画像から窪み画像部分を差し引いた画像を図５（Ｅ）に示すように、粒界凹み画像として抽出して光沢度調整条件決定部３２に出力する。
【００４４】
光沢度調整条件決定部３２は、窪み抽出部２８によって抽出された窪み画像、及び粒界凹み抽出部３０によって抽出された粒界凹み画像の各々画像の面積を算出する。そして、窪み画像と粒界凹み画像の面積比に基づいて、光沢度を調整する調整条件を決定する。具体的には、窪み画像は、定着前の画像形成工程（帯電や、露光、現像、転写等）に影響される傾向があり、粒界凹み画像は、定着不足によって発生する傾向がある。そこで、本実施形態では、面積比（窪み画像／粒界凹み画像）が１以上の場合には、定着以前の画像形成工程に関する画像形成条件を、有効な調整条件として決定し、１未満の場合には、定着条件を有効な調整条件として決定する。例えば、図６に示すようなＬＵＴ(Look Up Table)を記憶しておき、面積比に応じて予め定めた光沢度を調整する有効な調整条件を切り換える。具体的には、本実施形態では、一例として定着以前の画像形成工程に関する画像形成条件として二次転写電圧を適用し、定着条件として定着部材の温度を適用する。なお、定着以前の画像形成工程に関する調整条件としては、図６に示す帯電、露光、現像、一次転写、及び二次転写の少なくとも１つの調整条件を適用してもよい。一方、定着条件としては、図６に示す定着部材温度、加圧部材温度、圧力、及び定着時間の少なくとも１つの調整条件を適用してもよい。
【００４５】
続いて、上述のように構成された本実施形態に係る画像形成装置１０で光沢度の調整を行う際に行われる処理について説明する。図７は、本実施形態に係る画像形成装置１０の光沢度調整の際に行われる処理の流れの一例を示すフローチャートである。
【００４６】
ステップ１００では、画像読取部１４が用紙に形成された画像を読み取ってステップ１０２へ移行する。すなわち、各画像記録ユニット４４によって形成されて用紙に転写された画像を画像読取部１４が読み取ることによって正反射光強度分布情報を取得する。
【００４７】
ステップ１０２では、２値化処理部２２が、画像読取部１４によって取得した正反射光強度分布情報を２値の画像情報に変換する２値化処理を行ってステップ１０４へ移行する。
【００４８】
ステップ１０４では、ＬＰＦ処理部２４がマスク画像を生成してステップ１０６へ移行する。すなわち、ＬＰＦ処理部２４が予め定めたカットオフ周波数以下の波長の画像情報をノイズとして除去する処理を行うことによりマスク画像を生成する。
【００４９】
ステップ１０６では、マスク処理部２６がマスク後画像を抽出してステップ１０８へ移行する。すなわち、マスク処理部２６が２値化処理部２２によって２値化された画像情報からＬＰＦ処理部２４によって生成されたマスク画像に対応する画像を切り出してマスク後画像を抽出する。
【００５０】
ステップ１０８では、窪み抽出部２８が、マスク処理部２６によって抽出されたマスク後画像から粒界凹みに相当する面積の領域を除去することにより窪みに相当する部分の画像（窪み画像）を抽出してステップ１１０へ移行する。
【００５１】
ステップ１１０では、粒界凹み抽出部３０が、２値化処理部２２によって２値化された画像から窪み画像部分を差し引いた画像を粒界凹み画像として抽出してステップ１１２へ移行する。
【００５２】
ステップ１１２では、光沢度調整条件決定部３２が、窪み抽出部２８によって抽出された窪み画像及び粒界凹み抽出部３０によって抽出された粒界凹み画像の各々の面積を求めて、面積比（窪み画像／粒界凹み画像）を算出してステップ１１４へ移行する。
【００５３】
ステップ１１４では、光沢度調整条件決定部３２が、算出した面積比が１以上であるか否かを判定する。該判定が肯定された場合にはステップ１１６へ移行し、否定された場合にはステップ１１８へ移行する。
【００５４】
ステップ１１６では、光沢度調整条件決定部３２が、転写前の画像形成に関する画像形成条件を調整対象の調整条件に決定してステップ１２０へ移行する。
【００５５】
一方、ステップ１１８では、光沢度調整条件決定部３２が、転写に関する転写条件を調整対象の調整条件に決定してステップ１２０へ移行する。
【００５６】
ステップ１２０では、光沢度調整条件決定部３２が、決定した調整条件をユーザの指示に応じて変化させることにより、光沢度の調整を行って一連の処理を終了する。
【００５７】
なお、上記の実施形態では、窪みと粒界凹みの面積比が１以上か否かを判定して、光沢度を調整する調整条件を決定する例を説明したが、閾値は１に限るものではない。例えば、窪みの方が変化させやすい装置の場合には、１より小さい閾値、例えば、面積比が０．５以上か否かを判定してもよい。逆に、粒界凹みの方が変化させやすい装置の場合には、１より大きい閾値を適用してもよい。
【００５８】
また、上記の実施形態では、窪みと粒界凹みの面積比が１以上か否かにより、２種類の調整条件の何れかに決定する例を説明したが、調整条件は２種類に限るものではない。例えば、３種類以上の調整条件について、窪みと粒界凹みの面積比に応じて有効な調整条件を予め定めておき、求めた面積比に対応する調整条件を３種類以上の調整条件の中から決定すればよい。
【００５９】
また、上記の実施形態では、窪み画像と粒界凹み画像を分離するために空間周波数を用いて分離する例を説明したが、これに限るものではない。例えば、正反射光強度分布情報が２値化された画像の強度が低い側である部分（図では黒点）が集まった領域（以下、本命最初ではこれを「黒領域」と呼ぶ）の大きさによって分離してもよい。但し、大きさによる分類は、抽出領域同士がくっついた場合に分離できないので、空間周波数による分離の方が好ましい。また、空間周波数による分離の場合、分離の閾値は、トナー粒子径が大きいほど粒界凹みのサイズが大きくなるので、トナー粒子径が大きければ大きくするのがよい。
【００６０】
また、上記の実施形態では、光沢度を調整する調整条件を決定する際に、窪みと粒界凹みの面積比を用いて調整条件を決定する例を説明したが、面積比に限るものではない。例えば、最も大きい窪み画像が予め定めた閾値以上の大きさであるか否かを判定して、閾値以上の場合には定着前の画像形成に関する画像形成条件を光沢度を調整する調整条件に決定し、閾値未満の場合には定着条件を光沢度を調整する調整条件に決定してもよい。
【００６１】
また、上記の実施形態に係る画像形成装置１０によって行われる処理は、プログラムとして記憶媒体に記憶して流通させるようにしてもよい。
【００６２】
また、上記の実施形態では、画像表面光沢度調整装置２０の機能として画像形成装置１０に搭載した例を示すが、これに限るものではなく、画像表面光沢度調整装置２０の機能のみを備えた装置としてもよい。
【００６３】
また、本発明は、上記に限定されるものでなく、上記以外にも、その主旨を逸脱しない範囲内において種々変形して実施可能であることは勿論である。
【符号の説明】
【００６４】
１０    画像形成装置
１４    画像読取部
２０    画像表面光沢度調整装置
２２    ２値化処理部
２４    ＬＰＦ処理部
２６    マスク処理部
２８    窪み抽出部
３０    粒界凹み抽出部
３２    光沢度調整条件決定部
【図１】
2017016036.tif 000003
【図２】
2017016036.tif 000004
【図４】
2017016036.tif 000005
【図６】
2017016036.tif 000006
【図７】
2017016036.tif 000007
【図３】
2017016036.tif 000008
【図５】
2017016036.tif 000009